(57)【要約】【課題】  製造コストを増大させることなく、表示画面の焼き付きを目立たなくすることが可能な表示装置を提供する。 【解決手段】  第１のフレ−ムバッファ５０ａに保持されている映像信号「テレビ」に基づく映像が表示されているときに、入力映像信号の切替指示があったときの次の映像信号である「ビデオ１」が予め第２のフレ−ムバッファ５０ｂに保持されており、入力映像信号の切替指示があったときには、ディスプレイ７０に対して映像信号を供給するフレ−ムバッファを、第１のフレ−ムバッファ５０ａから第２のフレ−ムバッファ５０ｂに切り替えるだけで入力映像信号の切り替えが行われる。そのため、一瞬で入力映像信号の切り替えを行うことができ、その結果、入力映像信号の切替支持があってから表示映像が切り替わるまでの時間を大幅に短縮させることができ、ユ−ザ−のストレスを軽減することが可能となる。【選択図】図１
2006093846.tif 000002
【特許請求の範囲】
【請求項１】
入力された映像信号に対して、同映像信号に基づく映像をディスプレイに表示させるための各種の処理を行う映像信号処理部と、同映像信号処理部により処理が行われた映像信号の水平垂直の画素数を変換するスケ−ラ部とを具備するテレビジョン受信装置において、
上記映像信号処理部として、第１の映像信号処理部と第２の映像信号処理部との２つを具備し、
複数の映像信号入力端子、および、所定の周波数帯のテレビジョン放送信号を受信するチュ−ナ部と、
第１の映像信号処理部および第２の映像信号処理部の各々に入力される映像信号を切り替えるスイッチ部とを具備し、
上記スケ−ラ部は、上記第１の映像信号処理部からの映像信号を一時的に保持する第１のフレ−ムバッファ、および、上記第２の映像信号処理部からの信号を一時的に保持する第２のフレ−ムバッファを備えているとともに、上記第１のフレ−ムバッファおよび上記第２のフレ−ムバッファのなかのいずれか一方のフレ−ムバッファに保持されている映像信号を出力するように構成され、
入力映像信号の切り替えの指示があったことを受けて、上記スケ−ラ部から出力される上記映像信号が保持されている上記フレ−ムバッファを切り替えるフレ−ムバッファ切替手段を具備することを特徴とするテレビジョン受信装置。
【請求項２】
入力された映像信号に対して、同映像信号に基づく映像をディスプレイに表示させるための各種の処理を行う映像信号処理部と、同映像信号処理部により処理が行われた映像信号の水平垂直の画素数を変換するスケ−ラ部とを具備する受信装置において、
上記映像信号処理部は、複数備えられ、
複数の上記映像信号処理部の各々に入力される映像信号を切り替えるスイッチ部を具備し、
上記スケ−ラ部は、画素数が変換された上記映像信号を一時的に保持するフレ−ムバッファを、上記映像信号処理部と同数具備しているとともに、同フレ−ムバッファのなかの一のフレ−ムバッファに保持されている映像信号を出力するように構成され、
入力映像信号の切り替えの指示があったことを受けて、上記スケ−ラ部から出力される上記映像信号が保持されている上記フレ−ムバッファを切り替えるフレ−ムバッファ切替手段を具備することを特徴とする受信装置。
【請求項３】
上記映像信号処理部は、入力された映像信号をデジタル映像信号に変換する処理を行うことを特徴とする請求項２に記載の受信装置。
【請求項４】
上記映像信号処理部として、第１の映像信号処理部および第２の映像信号処理部を具備し、
上記スケ−ラ部は、上記フレ−ムバッファとして、上記第１の映像信号処理部からの映像信号を一時的に保持する第１のフレ−ムバッファ、および、上記第２の映像信号処理部からの信号を一時的に保持する第２のフレ−ムバッファを具備していることを特徴とする請求項２または３に記載の受信装置。
【請求項５】
複数の映像信号入力端子を具備し、
上記スイッチ部は、同複数の映像信号入力端子のなかのいずれかを介して上記複数の映像信号処理部の各々に入力される映像信号を切り替えるように構成されていることを特徴とする請求項２〜４のいずれか１に記載の受信装置。
【請求項６】
所定の周波数帯のテレビジョン放送信号を受信するチュ−ナ部を備え、同チュ−ナ部からの映像信号が上記映像信号処理部に入力されるように構成されていることを特徴とする請求項２〜５のいずれか１に記載の受信装置。
【請求項７】
上記スケ−ラ部から出力される映像信号に基づく映像を表示可能なディスプレイを備えたテレビジョン装置であることを特徴とする請求項６に記載の受信装置。
【発明の詳細な説明】
【技術分野】
【０００１】
本発明は、テレビジョン放送信号に基づく映像信号や、ビデオ端子等の映像信号入力端子から入力された映像信号を受信してディスプレイに表示可能な映像信号に変換する機能を有する受信装置に関するものである。
【背景技術】
【０００２】
従来、第１のフレ−ムバッファと第２のフレ−ムバッファとの２つのフレ−ムバッファを具備し、第１のフレ−ムバッファから読み出した映像信号に基づく映像が表示されるように構成された受信装置であって、入力映像信号が第１の映像信号から第２の映像信号に切り替わる際に、第１の映像信号の最後の信号および第２の映像信号の最初の信号をそれぞれ第２のフレ−ムバッファに書き込み、第２のフレ−ムバッファの内容を順次第１のフレ−ムバッファに転送しつつ、第１のフレ−ムバッファから映像信号の読み出しを行い、同転送が終了したときに上記第２の映像信号を上記第１のフレ−ムバッファに供給するように構成された受信装置が知られている（例えば、特許文献１参照）。
このような受信装置では、第１の映像信号に基づく映像から、第２の映像信号に基づく映像に切り替えが、紙芝居の場面が切り替わる如く連続して行われるようにすることが可能となるため、入力映像信号の切り替えの際の表示画面の映像の乱れの発生を抑制することが可能となる。
【特許文献１】特開平３−１５９３８４号公報
【発明の開示】
【発明が解決しようとする課題】
【０００３】
しかしながら、特許文献１に記載の受信装置では、入力映像信号の切り替えにかかる指示の入力があった後に、第２のフレ−ムバッファへの映像信号の書き込み、第２のフレ−ムバッファから第１のフレ−ムバッファへの映像信号の転送の処理が順に行われるため、上記指示の入力があってから、ディスプレイの映像が切り替わるまでに時間がかかってしまうという問題があった。特に、デジタルの映像信号に基づく映像を表示するように構成されている場合には、映像信号の水平垂直の画素数を変換するスケ−リング処理等の処理を行う際に時間がかかってしまうため、上述した入力映像信号の切り替え指示が入力されてから、実際に表示映像が切り替わるまでに相当の時間（例えば、０．６秒程度）かかってしまうため、ユ−ザ−がストレスを感じてしまうという問題があった。
【０００４】
本発明は、かかる実情に鑑み、入力映像信号の切り替えの指示を行ってから、表示映像が切り替わるまでの時間を大幅に短縮させることができ、ユ−ザ−のストレスを軽減することが可能な受信装置を提供するものである。
【課題を解決するための手段】
【０００５】
上記目的を達成するため、請求項２にかかる発明は、入力された映像信号に対して、同映像信号に基づく映像をディスプレイに表示させるための各種の処理を行う映像信号処理部と、同映像信号処理部により処理が行われた映像信号の水平垂直の画素数を変換するスケ−ラ部とを具備する受信装置において、
上記映像信号処理部は、複数設けられ、
複数の上記映像信号処理部の各々に入力される映像信号を切り替えるスイッチ部を具備し、
上記スケ−ラ部は、画素数が変換された上記映像信号を一時的に保持するフレ−ムバッファを、上記映像信号処理部と同数具備しているとともに、同フレ−ムバッファのなかの一のフレ−ムバッファに保持されている映像信号を出力するように構成され、
入力映像信号の切り替えの指示があったことを受けて、上記スケ−ラ部から出力される上記映像信号が保持されている上記フレ−ムバッファを切り替えるフレ−ムバッファ切替手段を具備する構成としてある。
【０００６】
上記のように構成した請求項２において、受信装置は、入力された映像信号に対して、同映像信号に基づく映像をディスプレイに表示させるための各種の処理を行う映像信号処理部と、同映像信号処理部により処理が行われた映像信号の水平垂直の画素数を変換するスケ−ラ部とを具備している。また、上記映像信号処理部は、複数設けられ、複数の映像信号処理部の各々に入力される映像信号を切り替えるスイッチ部を具備している。
【０００７】
さらに、上記スケ−ラ部は、画素数が変換された上記映像信号を一時的に保持するフレ−ムバッファを、上記映像信号処理部と同数具備しているとともに、同フレ−ムバッファのなかの一のフレ−ムバッファに保持されている映像信号を出力するように構成されている。すなわち、上記スケ−ラ部は、複数の映像信号処理部のから出力される映像信号の各々について、画素数変換（スケ−リング）の処理を行うとともに、同処理後の映像信号を複数のフレ−ムバッファの各々に保持させておくことが可能となっている。
【０００８】
さらにまた、入力映像信号の切り替えの指示があったことを受けて、上記スケ−ラ部から出力される映像信号が保持されている上記フレ−ムバッファを切り替えるフレ−ムバッファ切替手段を具備している。上記映像信号処理部と同数設けられたフレ−ムバッファの各々には、既に映像信号が保持されているため、ディスプレイに対して出力するフレ−ムバッファを切り替えることにより、上記入力映像信号の切り替えの指示があってから、一瞬で映像の切り替えが行われることとなる。その結果、入力映像信号の切り替えの指示を行ってから、表示映像が切り替わるまでの時間を大幅に短縮させることができ、ユ−ザ−のストレスを軽減することが可能となる。
また、表示映像が一瞬で切り替わるため、表示映像が切り替わるまでの待ち時間に全黒映像を表示させる処理（所謂ブラックミュ−ト処理）を行う必要がなくなるため、同処理に起因するバグの発生を防止することができる。
【０００９】
また、請求項３にかかる発明は、上記映像信号処理部が、入力された映像信号をデジタル映像信号に変換する処理を行う構成としてある。
上記のように構成した請求項３において、アナログの映像信号をデジタル映像信号に変換する際に時間がかかるため、予めフレ−ムバッファにデジタル映像信号を保持させておいて、同フレ−ムバッファを切り替えることにより、表示画像が切り替わるまでの時間を短縮させるという効果を強く享受することが可能となる。
【００１０】
また、請求項４にかかる発明は、上記映像再生装置として、第１の映像信号処理部および第２の映像信号処理部を具備し、
上記スケ−ラ部は、上記フレ−ムバッファとして、上記第１の映像信号処理部からの映像信号を一時的に保持する第１のフレ−ムバッファ、および、上記第２の映像信号処理部からの信号を一時的に保持する第２のフレ−ムバッファを具備する構成としてある。
【００１１】
上記のように構成した請求項４において、設置する映像信号処理部が２つで済むため、製造コストの高騰を抑制することが可能となる。
また、例えば、市場に出回っているテレビジョンのように、リモコンの「入力切替」のボタンを押下する毎に、ＶＩＤＥＯ１、ＶＩＤＥＯ２、ＶＩＤＥＯ３の順に入力映像信号が切り替わるように構成されている場合には、第１のフレ−ムバッファにＶＩＤＥＯ１の映像信号が保持されており、同ＶＩＤＥＯ１の映像信号に基づく映像が表示されているときに、第２のフレ−ムバッファにＶＩＤＥＯ２の映像信号が保持されるようにしておけば、上記「入力切替」のボタンが押下されたときに、ＶＩＤＥＯ２の映像信号に基づく映像に一瞬で切り替わるため、請求項４の構成が実用的でもある。
【００１２】
さらに、請求項５にかかる発明は、複数の映像信号入力端子を具備し、
上記スイッチ部は、同複数の映像信号入力端子のなかのいずれかを介して上記複数の映像信号の各々に入力される映像信号を切り替える構成としてある。
上記のように構成した請求項５において、例えば、複数の映像信号入力端子に、ビデオ再生装置や、ゲ−ム装置を接続し、これらの装置から映像信号を入力するように構成した場合に、ビデオ映像からゲ−ム映像への切り替えを一瞬で行うことが可能となる。
【００１３】
さらに、請求項６にかかる発明は、所定の周波数帯のテレビジョン放送信号を受信するチュ−ナ部を備え、同チュ−ナ部からの映像信号が上記映像信号処理部に入力される構成としてある。
上記のように構成した請求項６において、例えば、ビデオ映像からテレビ映像への切り替えを一瞬で行うことが可能となる。
【００１４】
さらに、請求項７にかかる発明は、受信装置が、上記スケ−ラ部から出力される映像信号に基づく映像を表示可能なディスプレイを備えたテレビジョン装置である構成としてある。
上記のように構成した請求項７において、テレビジョン放送信号に基づくテレビ映像を表示可能であるとともに、ビデオ再生装置やゲ−ム装置からの映像信号に基づく映像を表示可能なテレビジョン装置とすることが可能となる。
【発明の効果】
【００１５】
本発明の請求項２にかかる発明では、入力映像信号の切り替えの指示を行ってから、表示映像が切り替わるまでの時間を大幅に短縮させることができ、ユ−ザ−のストレスを軽減することが可能となる。
請求項３にかかる発明では、表示画像が切り替わるまでの時間を短縮させるという効果を強く享受することが可能となる。
請求項４にかかる発明では、製造コストの高騰を抑制することが可能となる。
請求項５にかかる発明では、複数の映像信号入力端子に、ビデオ再生装置や、ゲ−ム装置を接続し、これらの装置から映像信号を入力するように構成した場合に、ビデオ映像からゲ−ム映像への切り替えを一瞬で行うことが可能となる。
請求項６にかかる発明では、ビデオ映像からテレビ映像への切り替えを一瞬で行うことが可能となる。
請求項７にかかる発明では、テレビジョン放送信号に基づくテレビ映像を表示可能であるとともに、ビデオ再生装置やゲ−ム装置からの映像信号に基づく映像を表示可能なテレビジョン装置とすることが可能となる。
【発明を実施するための最良の形態】
【００１６】
以下、本発明の実施形態について図面に基づいて説明する。なお、以下の実施形態においては、本発明の受信装置が、映像信号入力端子としての複数のビデオ端子と、所定の周波数帯のテレビジョン放送電波を受信して同テレビジョン放送電波に基づく映像信号を出力するチュ−ナ部と、映像が表示されるディスプレイとを具備するテレビジョン受信装置である場合について説明する。
【００１７】
図１は、本発明にかかるテレビジョン受信装置の構成を示すブロック図である。同図において、テレビジョン受信装置１０は、チュ−ナ部１１と、２つのビデオ端子１２ａ、１２ｂとを備えている。チュ−ナ部１１は、接続された八木アンテナ等のアンテナ１３により受信されたテレビジョン周波信号から、所望の周波数帯の周波信号を抽出することにより複数の受信チャンネルの中から一の受信チャンネルを選択し、同受信チャンネルに対応する映像信号を出力するように構成されている。また、ビデオ端子１２ａ、１２ｂには、外部装置としてのビデオ再生装置１４、ゲ−ム装置１５がそれぞれ接続され、これらの装置からの映像信号を入力することができるようになっている。
【００１８】
また、上述したチュ−ナ部１１およびビデオ端子１２ａ、１２ｂは、スイッチ回路２０に接続されている。このスイッチ回路は、後述する第１の映像信号処理部３０ａおよび第２の映像信号処理部３０ｂにも接続されており、ＣＰＵ８０からの命令信号に基づいて、第１の映像信号処理部３０ａおよび第２の映像信号処理部３０ｂの各々入力される映像信号を切り替える動作を行う。この構成により、チュ−ナ部１１、ビデオ端子１２ａ、１２ｂから出力される３つの映像信号のうち、第１の映像信号処理部３０ａ、第２の映像信号処理部３０ｂの各々に入力される映像信号を選択的に切り替えることが可能となる。
【００１９】
第１の映像信号処理部３０ａ、および、第２の映像信号処理部３０ｂは、チュ−ナ部１１、ビデオ端子１２ａ、１２ｂのいずれかから入力された映像信号に対して、同映像信号に基づく映像をディスプレイ７０に表示させるための各種の処理を行う。この第１の映像信号処理部３０ａ、および、第２の映像信号処理部３０ｂは、同様の構成となっており、詳しくは後に図面（図２）を用いて詳述する。
【００２０】
第１の映像信号処理部３０ａ、および、第２の映像信号処理部３０ｂにより処理が行われた映像信号は、スケ−ラ５０に入力される。スケ−ラ４０は、第１の映像信号処理部３０ａ、または、第２の映像信号処理部３０ｂにより処理が行われた映像信号の水平垂直の画素数を変換するためのものである。例えば、表示デバイスとしてのディスプレイ７０の水平垂直の画素数が１０２４×７６８であり、入力された映像信号の画素数が７８０×４８０である場合には、スケ−ラ５０において、同映像信号の画素数（７８０×４８０）をディスプレイ７０の画素数（１０２４×７６８）に変換する処理が行われるのである。
【００２１】
スケ−ラ５０は、ワ−クエリアとして、第１のフレ−ムバッファ５０ａ、および、第２のフレ−ムバッファ５０ｂの２つのフレ−ムバッファを具備している。第１のフレ−ムバッファ５０ａは、第１の映像信号処理部３０ａから入力されて画素数変換処理が行われた映像信号を一時的に保持し、また、第２のフレ−ムバッファ５０ｂは、第２の映像信号処理部３０ｂから入力されて画素数変換処理が行われた映像信号一時的に保持する。
【００２２】
上述した第１のフレ−ムバッファ５０ａ、および、第２のフレ−ムバッファ５０ｂは、フレ−ムバッファ切替手段としてのメモリコントロ−ラ６０に接続されている。このメモリコントロ−ラ６０は、ディスプレイ７０に供給される映像信号を切り替えるためのものであり、ＣＰＵ８０からの命令信号に基づいて、第１のフレ−ムバッファ５０ａに保持されている映像信号、および、第２のフレ−ムバッファ５０ｂに保持されている映像信号のうち、ディスプレイ７０に供給する映像信号を選択的に切り替える。ディスプレイ７０は、入力された映像信号に基づく映像を表示させる。
【００２３】
次に、図１に示したテレビジョン受信装置１０が具備する第１の映像信号処理部３０ａについて説明する。なお、第２の映像信号処理部３０ｂは、第１の映像信号処理部３０ａと同様の構成であるため、その説明を省略する。
図２は、第１の映像信号処理部の構成を示すブロック図である。同図において、第１の映像再生装置３０ａは、Ａ／Ｄコンバ−タ３１ａと、Ｙ／Ｃ分離回路３２ａと、クロマデコ−ダ３３ａと、画像補正回路３４ａとを具備している。Ａ／Ｄコンバ−タ３１ａは、チュ−ナ１１、ビデオ端子１２ａ、１２ｂのいずれかから入力されるアナログの映像信号をデジタルの映像信号に変換する。また、Ｙ／Ｃ分離回路３２ａは、入力された映像信号に対して３次元Ｙ／Ｃ分離処理を行うことにより輝度信号とクロマ信号とを生成する。また、クロマデコ−ダ３３ａは、Ｙ／Ｃ分離回路３２ａから出力される映像信号を入力し、上記クロマ信号から色差信号を復調して生成する。
【００２４】
さらに、画像補正回路３４ａは、クロマデコ−ダ３３ａにより処理された映像信号に対して、輪郭強調の補正であるシャ−プネスや、振幅の小さい領域を抑える補正であるコアリング等の処理を行う。なお、上記輪郭強調においては、ピ−キング処理、輝度立ち上がり改善処理、クロマ信号立ち上がり改善処理等を行うように構成することが可能である。
上述したＡ／Ｄコンバ−タ３１ａ、Ｙ／Ｃ分離回路３２ａ、クロマデコ−ダ３３ａおよび画質補正回路３４ａにより各種の処理が行われた映像信号は、図１に示したようにスケ−ラ５０に供給されるのである。なお、本発明において、映像信号処理部が行う映像信号への処理は、図２に示した例に限定されるものではない。
【００２５】
次に、図１、図２に示したテレビジョン受信装置１０において実行されるメイン処理の流れを、図３に示すフロ−チャ−トに基づいて説明する。上記メイン処理は、テレビジョン受信装置１０の電源がＯＮになったときに実行される処理である。まず、ステップＳ１００において初期設定を行う。この処理において、ＣＰＵ８０内のレジスタ、ＲＡＭ（図示せず）のクリア、白バランス調整用の設定デ−タの読み出し等の初期設定にかかる処理を行う。次に、ステップＳ１１０において現在の入力映像信号にかかる情報の読み出しを行う。現在の入力映像信号とは、テレビジョン受信装置１０の電源がＯＦＦになる前にディスプレイ７０に表示されていた映像にかかる入力映像信号のことである。すなわち、このステップＳ１１０の処理では、同メイン処理が開始される前に、テレビジョン受信装置１０が表示していた映像がどの入力映像信号に基づくものであるかを特定するための行われるのである。なお、上記現在の入力映像信号にかかる情報は、例えば、電源ＯＦＦ時にテレビジョン受信装置１０が備えるＥＥＰＲＯＭ（図示せず）等に記憶されているものである。
【００２６】
ステップＳ１１０の処理を実行すると、次に、ステップＳ１２０において、第１、第２のフレ−ムバッファに保持させる映像信号を決定する処理を行う。この処理は、上述したステップＳ１１０の処理にて読み出された情報と、図４に示すテ−ブルに基づいて行われる。
図４は、図３に示したフロ−チャ−トのステップＳ１２０の処理にて用いられるテ−ブルの一例を示す図である。なお、以下においては、チュ−ナ部１１からの映像信号を「テレビ」、ビデオ端子１２ａからの映像信号を「ビデオ１」、ビデオ端子１２ｂからの映像信号を「ビデオ２」ということとする。同図において、例えば、現在の入力映像信号が「テレビ」ある場合には、第１のフレ−ムバッファ５０ａに保持される映像信号が「テレビ」に決定されるとともに、第２のフレ−ムバッファ５０ｂに保持される映像信号が「ビデオ１」に決定される。また、例えば、現在の入力映像信号が「ビデオ１」である場合には、第１のフレ−ムバッファ５０ａに保持される映像信号が「ビデオ２」に決定される。
【００２７】
ステップＳ１２０の処理を実行すると、次に、ステップＳ１３０において、スイッチ回路設定処理を行う。この処理において、上述したステップＳ１２０の処理の結果に基づいて、第１のフレ−ムバッファ５０ａ、第２のフレ−ムバッファ５０ｂの各々に映像信号を保持させるようにスイッチ回路２０を設定する処理を行う。例えば、ステップＳ１２０において、第１のフレ−ムバッファ５０ａに保持させる映像信号が「テレビ」、第２のフレ−ムバッファ５０ｂに保持させる映像信号が「ビデオ１」に決定された場合には、チュ−ナ１１からの映像信号が第１の映像信号処理部３０ａを介して第１のフレ−ムバッファ５０ａに入力されるとともに、ビデオ端子１２ａからの映像信号が第２の映像信号処理部３０ｂを介して第２のフレ−ムバッファ５０ｂに入力されるようにスイッチ回路２０を設定するのである。
【００２８】
ステップＳ１３０の処理を実行すると、次に、ステップＳ１４０において、メモリコントロ−ラ６０を第１のフレ−ムバッファ５０ａに切り替える処理を行う。この処理において、第１のフレ−ムバッファ５０ａに保持されている映像信号がディスプレイ７０に供給されるようにメモリコントロ−ラ６０の切り替えを行う。次に、ステップＳ１５０において、テレビジョン受信装置１０を構成する各部、各回路を主導的に制御し、ディスプレイ７０に映像を表示させる処理を実行する。
【００２９】
ステップＳ１５０の処理を実行すると、次に、ステップＳ１６０において、入力映像信号の切替指示があったか否かを判断する。この処理において、テレビリモコンの操作等により、入力映像信号を切り替える旨の指示の入力があったか否かを判断する。ステップＳ１６０において入力映像信号の切替指示があったと判断した場合には、ステップＳ１７０の入力映像信号切替処理を実行する。この処理については、後に図面（図５）を用いて説明する。一方、ステップＳ１７０において入力映像信号の切替指示がなかったと判断した場合には、次に、ステップＳ１８０において、テレビジョン受信装置１０の電源をＯＦＦにする旨の指示があったか否かを判断する。テレビジョン受信装置１０の電源をＯＦＦにする旨の指示がなかった場合には処理をステップＳ１５０に戻す一方、指示があった場合にはメイン処理を終了させる。
【００３０】
次に、図３に示したフロ−チャ−トのステップＳ１７０において呼び出されて実行される入力映像信号切替処理の流れを図５に基づいて説明する。まず、ステップＳ２００において、フレ−ムバッファ切替処理を行う。この処理において、現在、第１のフレ−ムバッファ５０ａに保持されている映像信号が有効となっており、同映像信号がディスプレイ７０に供給されている場合には、第２のフレ−ムバッファ５０ａを有効とし、第２のフレ−ムバッファ５０ａに保持されている映像信号をディスプレイ７０に供給するように切り替える一方、現在、第２のフレ−ムバッファ５０ｂが有効となっている場合には、第１のフレ−ムバッファ５０ａが有効となるように切り替えるのである。
【００３１】
ステップＳ２００の処理を実行すると、次に、ステップＳ２１０において、無効なフレ−ムバッファに保持される映像信号を決定する処理を行う。この処理において、上述したステップＳ２００においてフレ−ムバッファの切り替えが行われた結果、ディスプレイ７０に映像信号が供給されなくなった（無効となった）フレ−ムバッファに新たに保持させる映像信号を決定する処理を行う。このステップＳ２１０の処理は、例えば、図６に示すテ−ブルに基づいて行われる。
【００３２】
図６は、図５に示したフロ−チャ−トのステップＳ２１０の処理を行う際に用いられるテ−ブルの一例を示す図である。例えば、上述したステップＳ２００において、有効なフレ−ムバッファが、第１のフレ−ムバッファ５０ａから第２のフレ−ムバッファ５０ｂに切り替えられ、有効となったフレ−ムバッファ５０ｂに保持されている映像信号が「テレビ」である場合には、無効となった第１のフレ−ムバッファ５０ａに新たに保持される映像信号は「ビデオ１」に決定される。また、例えば、有効なフレ−ムバッファが、第２のフレ−ムバッファ５０ｂから第１のフレ−ムバッファ５０ａに切り替えられ、有効となった第１のフレ−ムバッファ５０ａに保持されている映像信号が「ビデオ１」である場合には、無効となった第２のフレ−ムバッファ５０ｂに新たに保持される映像信号は「ビデオ２」に決定されるのである。
【００３３】
ステップＳ２１０の処理を実行すると、次に、ステップＳ２２０において、無効なフレ−ムバッファに、上述したステップＳ２１０の処理により決定された映像信号が保持されるようにスイッチ回路２０を設定する処理を行う。例えば、無効なフレ−ムバッファとなった第１のフレ−ムバッファ５０ａに保持させる映像信号が、ステップＳ２１０の処理の結果、「テレビ」に決定された場合には、チュ−ナ１１からの映像信号が第１の映像信号処理部３０ａを介して第１のフレ−ムバッファ５０ａに入力されるようにスイッチ回路２０が設定される。また、例えば、無効なフレ−ムバッファとなった第２のフレ−ムバッファ５０ｂに保持させる映像信号が、ステップＳ２１０の処理の結果、「ビデオ１」に決定された場合には、ビデオ端子１２ａからの映像信号が第２の映像信号処理部３０ｂを介して第２のフレ−ムバッファ５０ｂに入力されるようにスイッチ回路２０が設定される。上述したステップＳ２２０の処理を実行すると、入力映像信号切替処理を終了させる。
【００３４】
以下、図３、図５に示したフロ−チャ−トに基づく処理が実行されるときの具体例を、図７（ａ）〜（ｃ）を参照しながら説明する。まず、テレビジョン受信装置１０の電源がＯＮとなったことを受けて初期設定にかかる処理が行われ（ステップＳ１００）、現在の入力映像信号が「テレビ」、「ビデオ１」、「ビデオ２」のいずれであったかについての情報を取得する（ステップＳ１１０）。そして、同情報に基づいて第１のフレ−ムバッファ５０ａ、第２のフレ−ムバッファ５０ｂに保持させる映像信号をそれぞれ決定し（ステップＳ１２０）、決定結果に基づいてスイッチ回路２０の設定を行う（ステップＳ１３０）。そして、第１のフレ−ムバッファ５０ａが有効となり、第１のフレ−ムバッファ５０ａに保持されている映像信号がディスプレイ７０に供給されるようにメモリコントロ−ラ１４０の切り替えを行う（ステップＳ１４０）。図７（ａ）には、これらの処理が行われた結果、第１のフレ−ムバッファ５０ａに映像信号「テレビ」が保持されるとともに、第２のフレ−ムバッファ５０ｂに映像信号「ビデオ１」が保持され、更に、第１のフレ−ムバッファ５０ａが有効となるように設定されている様子が示されている。
【００３５】
図７（ａ）に示して状態では、チュ−ナ部１１からの映像信号「テレビ」が、第１の映像信号処理部３０ａにて所定の処理が行われてスケ−ラ５０の第１のフレ−ムバッファ５０ａに保持され、第１のフレ−ムバッファ５０ａの映像信号「テレビ」がディスプレイ７０に供給されてテレビジョン映像が表示されるのである。このとき、テレビリモコン等の操作により入力映像信号の切替指示があったときには、図７（ｂ）に示すように、フレ−ムバッファ切替処理（ステップＳ２１０）が行われて、有効なフレ−ムバッファが第１のフレ−ムバッファ５０ａから第２のフレ−ムバッファ５０ｂに切り替わるとともに、第１のフレ−ムバッファ５０ａには、ビデオ端子１２ａからの映像信号「ビデオ２」が新たに保持される（ステップＳ２２０）。
【００３６】
図７（ｂ）に示した状態で更に、入力映像信号の切替指示があったときには、図７（ｃ）に示すように、フレ−ムバッファ切替処理（ステップＳ２１０）が行われて、有効なフレ−ムバッファが第２のフレ−ムバッファ５０ｂから第１のフレ−ムバッファ５０ａに切り替わるとともに、第２のフレ−ムバッファ５０ｂには、チュ−ナ部１１からの映像信号「テレビ」が新たに保持される（ステップＳ２２０）。
【００３７】
このように、実施形態にかかるテレビジョン受信装置１０では、入力映像信号の切替指示がある毎に、ディスプレイ７０に供給される映像信号が、「テレビ」、「ビデオ１」、「ビデオ２」、「テレビ」…の順に順次切り替わることとなる。
実施形態にかかるテレビジョン受信装置１０では、例えば、第１のフレ−ムバッファ５０ａに保持されている映像信号「テレビ」に基づく映像が表示されているときに、入力映像信号の切替指示があったときの次の映像信号である「ビデオ１」が予め第２のフレ−ムバッファ５０ｂに保持されている。そして、入力映像信号の切替指示があったときには、ディスプレイ７０に対して映像信号を供給するフレ−ムバッファを、第１のフレ−ムバッファ５０ａから第２のフレ−ムバッファ５０ｂに切り替えるだけで入力映像信号の切り替えが行われるため、一瞬で入力映像信号の切り替えを行うことができる。その結果、入力映像信号の切替支持があってから表示映像が切り替わるまでの時間を大幅に短縮させることができ、ユ−ザ−のストレスを軽減することが可能となる。
【００３８】
上述した実施形態においては、テレビジョン受信装置が２つの映像信号処理部と、同映像信号処理部の各々に対応する２つのフレ−ムバッファとを具備している場合について説明したが、本発明において、受信装置が具備する映像信号処理部、および、フレ−ムバッファの数としては特に限定されるものではなく、例えば、映像信号処理部およびフレ−ムバッファをそれぞれ３つ、または、４つずつ具備していてもよい。しかし、映像信号処理部およびフレ−ムバッファの数を多くし過ぎると、製造コストが高騰してしまう点と、実施形態に示したように、映像信号処理部の切替指示がある毎に、「テレビ」、「ビデオ１」、「ビデオ２」、「テレビ」…というように、入力映像信号が順番に切り替わるように構成されたテレビジョン受信装置が一般的である点とから、実施形態のように映像信号処理部、および、フレ−ムバッファをそれぞれ２つずつ具備していることが望ましい。
【００３９】
また、上述した実施形態では、本発明の受信装置が、複数のビデオ端子と、アンテナからのテレビジョン放送電波を受信するチュ−ナ部とを具備するテレビジョン受信装置である場合について説明したが、本発明の受信装置は、複数の映像信号入力端子を具備するものであれば、実施形態に限定されるものではない。また、必ずしも映像を表示するためのディスプレイを具備している必要はなく、例えば、ディスプレイを具備せず、複数の映像入力端子と、チュ−ナ部とのみを具備するテレビジョン受信チュ−ナであってもよい。
【００４０】
以上説明したように、実施形態にかかるテレビジョン受信装置１０では、第１のフレ−ムバッファ５０ａに保持されている映像信号「テレビ」に基づく映像が表示されているときに、入力映像信号の切替指示があったときの次の映像信号である「ビデオ１」が予め第２のフレ−ムバッファ５０ｂに保持されており、入力映像信号の切替指示があったときには、ディスプレイ７０に対して映像信号を供給するフレ−ムバッファを、第１のフレ−ムバッファ５０ａから第２のフレ−ムバッファ５０ｂに切り替えるだけで入力映像信号の切り替えが行われるため、一瞬で入力映像信号の切り替えを行うことができる。その結果、入力映像信号の切替支持があってから表示映像が切り替わるまでの時間を大幅に短縮させることができ、ユ−ザ−のストレスを軽減することが可能となる。
【図面の簡単な説明】
【００４１】
【図１】実施形態にかかるテレビジョン受信装置の構成を示すブロック図である。
【図２】第１の映像信号処理部の構成を示すブロック図である。
【図３】メイン処理の流れを示すフロ−チャ−トである。
【図４】図３に示したフロ−チャ−トのステップＳ１２０の処理にて用いられるテ−ブルの一例を示す図である。
【図５】図３に雨したフロ−チャ−トのステップＳ１７０において呼び出されて実行される入力映像信号切替処理の流れを示すフロ−チャ−トである。
【図６】図５に示したフロ−チャ−トのステップＳ２１０の処理を行う際に用いられるテ−ブルの一例を示す図である。
【図７】（ａ）〜（ｃ）は、図３、図５に示したフロ−チャ−トにかかる処理が実行されているときにフレ−ムバッファに記憶される映像信号を示す説明図である。
【符号の説明】
【００４２】
１０…テレビジョン受信装置
１１…チュ−ナ部
１２ａ、１２ｂ…ビデオ端子
１３…アンテナ
１４…ビデオ再生装置
１５…ゲ−ム装置
２０…スイッチ回路
３０ａ…第１の映像信号処理部
３０ｂ…第２の映像信号処理部
５０…スケ−ラ
５０ａ…第１のフレ−ムバッファ
５０ｂ…第２のフレ−ムバッファ
６０…メモリコントロ−ラ
７０…ディスプレイ
８０…ＣＰＵ
【図１】
2006093846.tif 000003
【図２】
2006093846.tif 000004
【図３】
2006093846.tif 000005
【図４】
2006093846.tif 000006
【図５】
2006093846.tif 000007
【図６】
2006093846.tif 000008
【図７】
2006093846.tif 000009